(57)【要約】  本発明に従ったロッカ弁機構１２５が提供される。該ロッカ弁機構１２５は、複数のポート１１３−１１５を含むポート部分１１０と、第一のプランジャ１３０と、該第一のプランジャ１３０に抗して作用し且つ該第一のプランジャ１３０に対して実質的に平行に動く第二のプランジャ１３１とを含む。上記ロッカ弁機構１２５は、第三のポート１１５をブロックする第一の位置に向けて偏倚され、また、第一のポート１１３をブロックする第二の位置まで作動される形態とされている。【選択図】図１
2010506122.tif 000002
【特許請求の範囲】
【請求項１】
ロッカ弁機構（１２５）において、
複数のポート（１１３−１１５）を含むポート部分（１１０）と、
第一のプランジャ（１３０）と、
前記第一のプランジャ（１３０）に抗して作用し且つ該第一のプランジャ（１３０）に対して実質的に平行に動く第二のプランジャ（１３１）とを備え、
前記ロッカ弁機構（１２５）は、第一のポート（１１３）をブロックする第一の位置に向けて偏倚され、また、第三のポート（１１５）をブロックする第二の位置まで作動される形態とされる、ロッカ弁機構（１２５）。
【請求項２】
請求項１に記載のロッカ弁機構（１２５）において、
前記第一のポート（１１３）をブロックする前記第一のプランジャ（１３０）により前記第一の位置に向けて偏倚され且つ、前記第三のポート（１１５）をブロックする前記第二のプランジャ（１３１）により前記第二の位置まで作動される形態とされる、ロッカ弁機構（１２５）。
【請求項３】
請求項１に記載のロッカ弁機構（１２５）において、
前記複数のポート（１１３−１１５）は、所定の間隔だけ分離される、ロッカ弁機構（１２５）。
【請求項４】
請求項１に記載のロッカ弁機構（１２５）において、
前記複数のポート（１１３−１１５）は、複数の形態変更可能なポート（１１３−１１５）を含む、ロッカ弁機構（１２５）。
【請求項５】
該請求項１に記載のロッカ弁機構（１２５）において、
前記第一のプランジャ（１３０）及び前記第二のプランジャ（１３１）の双方にわたって伸びるシール部材（１２０）を更に備え、
該シール部材（１２０）は、該第一のプランジャ（１３０）及び該第二のプランジャ（１３１）により動かされて前記第一のポート（１１３）の第一の弁座（１１２ａ）及び前記第三のポート（１１５）の第二の弁座（１１２ｂ）と交互に接触することができる、ロッカ弁機構（１２５）。
【請求項６】
請求項１に記載のロッカ弁機構（１２５）において、
前記第一のプランジャ（１３０）は、第一のプランジャヘッド（１３７）を含み、また、前記第二のプランジャ（１３１）は、第二のプランジャヘッド（１３８）を含み、
前記第一のプランジャヘッド（１３７）は、前記第一の密封領域（１２１）内に嵌まり、
前記第二のプランジャヘッド（１３８）は、前記第二の密封領域（１２２）内に嵌まる、ロッカ弁機構（１２５）。
【請求項７】
請求項１に記載のロッカ弁機構（１２５）において、
前記ポート部分（１１０）から伸びる枢動ポスト（１３３）と、
前記枢動ポスト（１３３）に枢動可能に装着された上側枢動アーム（１３５）と、
該枢動ポスト（１３３）に枢動可能に装着された下側枢動アーム（１３６）と、
アクチュエータ（１４５）により作動される形態とされ、前記上側枢動アーム（１３５）及び前記下側枢動アーム（１３６）の第一の端部（１６１）に枢動可能に装着される前記第一のプランジャ（１３０）と、
ロッカ偏倚装置（１４０）により閉塞位置に向けて偏倚する形態とされ、前記上側枢動アーム（１３５）及び前記下側枢動アーム（１３６）の第二の端部（１６２）に枢動可能に装着される前記第二のプランジャ（１３１）とを更に備える、ロッカ弁機構（１２５）。
【請求項８】
請求項１に記載のロッカ弁機構（１２５）において、
偏倚力を前記第二のプランジャ（１３１）に加える形態とされたロッカ偏倚装置（１４０）と、
前記第一のプランジャ（１３０）及び前記シール部材（１２０）の第一のシール領域を常時閉位置に向けて偏倚させ且つ前記第一のポート（１１３）の第一の弁座（１１２ａ）と接触させる形態とされたアクチュエータ（１４５）とを更に備える、ロッカ弁機構（１２５）。
【請求項９】
ロッカ弁（１００）において、
弁本体（１０１）と、
少なくとも部分的に前記弁本体（１０１）内に配置されたロッカ弁機構（１２５）とを備え、前記ロッカ弁機構（１２５）は、
複数のポート（１１３−１１５）を含むポート部分（１１０）と、
第一のプランジャ（１３０）と、
前記第一のプランジャ（１３０）に抗して作用し且つ該第一のプランジャ（１３０）に対して実質的に平行に動く第二のプランジャ（１３１）とを備え、
前記ロッカ弁機構（１２５）は、第一のポート（１１３）をブロックする第一の位置に向けて偏倚され且つ第三のポート（１１５）をブロックする第二の位置まで作動される形態とされる、ロッカ弁（１００）。
【請求項１０】
請求項９に記載のロッカ弁（１００）において、
前記ロッカ弁機構（１２５）は、前記第一のポート（１１３）をブロックする前記第一のプランジャ（１３０）により前記第一の位置に向けて偏倚され且つ、前記第三のポート（１１５）をブロックする前記第二のプランジャ（１３１）により前記第二の位置まで作動される形態とされる、ロッカ弁（１００）。
【請求項１１】
請求項９に記載のロッカ弁（１００）において、
前記ロッカ弁機構（１２５）は、モジュラーロッカ弁機構（１２５）である、ロッカ弁（１００）。
【請求項１２】
請求項９に記載のロッカ弁（１００）において、
前記複数のポート（１１３−１１５）は、所定の間隔だけ分離される、ロッカ弁（１００）。
【請求項１３】
請求項９に記載のロッカ弁（１００）において、
前記複数のポート（１１３−１１５）は、複数の形態変更可能なポート（１１３−１１５）を含む、ロッカ弁（１００）。
【請求項１４】
請求項９に記載のロッカ弁（１００）において、
前記ロッカ弁機構（１２５）は、前記第一のプランジャ（１３０）及び前記第二のプランジャ（１３１）の双方にわたって伸びるシール部材（１２０）を更に備え、
該シール部材（１２０）は、該第一のプランジャ（１３０）及び該第二のプランジャ（１３１）により動かされて前記第一のポート（１１３）の第一の弁座（１１２ａ）及び前記第三のポート（１１５）の第二の弁座（１１２ｂ）と交互に接触することができる、ロッカ弁（１００）。
【請求項１５】
請求項９に記載のロッカ弁（１００）において、
前記第一のプランジャ（１３０）は、第一のプランジャヘッド（１３７）を含み、また、前記第二のプランジャ（１３１）は、第二のプランジャヘッド（１３８）を含み、
前記第一のプランジャヘッド（１３７）は、前記第一の密封領域（１２１）内に嵌まり、
前記第二のプランジャヘッド（１３８）は、前記第二の密封領域（１２２）内に嵌まる、ロッカ弁（１００）。
【請求項１６】
請求項９に記載のロッカ弁（１００）において、
ロッカ弁機構（１２５）は、
前記ポート部分（１１０）から伸びる枢動ポスト（１３３）と、
前記枢動ポスト（１３３）に枢動可能に装着された上側枢動アーム（１３５）と、
該枢動ポスト（１３３）に枢動可能に装着された下側枢動アーム（１３６）と、
アクチュエータ（１４５）により作動される形態とされ、前記上側枢動アーム（１３５）及び前記下側枢動アーム（１３６）の第一の端部（１６１）に枢動可能に装着される前記第一のプランジャ（１３０）と、
ロッカ偏倚装置（１４０）により閉塞位置に向けて偏倚する形態とされ、前記上側枢動アーム（１３５）及び前記下側枢動アーム（１３６）の第二の端部（１６２）に枢動可能に装着される前記第二のプランジャ（１３１）とを更に備える、ロッカ弁（１００）。
【請求項１７】
請求項９に記載のロッカ弁（１００）において、
ロッカ弁機構（１２５）は、
偏倚力を前記第二のプランジャ（１３１）に加える形態とされたロッカ偏倚装置（１４０）と、
前記第一のプランジャ（１３０）及び前記シール部材（１２０）の第一のシール領域を常時閉位置に向けて偏倚させ且つ前記第一のポート（１１３）の第一の弁座（１１２ａ）と接触させる形態とされたアクチュエータ（１４５）とを更に備える、ロッカ弁（１００）。
【請求項１８】
請求項１７に記載のロッカ弁（１００）において、
外部の作動力をアーマチャ偏倚装置（１４８）に抗して前記ロッカ弁機構（１２５）まで伝達する形態とされた手動の作動プランジャ（５０１）を更に備える、ロッカ弁（１００）。
【請求項１９】
請求項９に記載のロッカ弁（１００）において、
外部の作動力をアーマチャの偏倚装置（１４８）に抗して前記ロッカ弁機構（１２５）に伝達する形態とされた手動の作動プランジャ（５０１）を更に備え、
該手動の作動プランジャ（５０１）は、角度付き面（５０３）を含むアクチュエータ突起（５０２）を有する、ロッカ弁（１００）。
【請求項２０】
請求項９に記載のロッカ弁（１００）において、
前記ロッカ弁機構（１２５）の作動位置に関係した位置信号を発生させる位置センサ（１６０）を更に備える、ロッカ弁（１００）。
【請求項２１】
請求項９に記載のロッカ弁（１００）において、
前記ロッカ弁機構（１２５）に取付けた磁石（１６２）と、
前記弁本体（１０１）に取付けた位置センサ（１６０）とを更に備え、
該位置センサ（１６０）は、前記ロッカ弁機構（１２５）の作動位置に関係した位置信号を発生させる、ロッカ弁（１００）。
【請求項２２】
ロッカ弁（１００）において、
弁本体（１０１）と、
少なくとも部分的に前記弁本体（１０１）内に配置されたロッカ弁機構（１２５）とを備え、前記ロッカ弁機構（１２５）は、
複数のポート（１１３−１１５）を含むポート部分（１１０）と、
第一のプランジャ（１３０）と、
該第一のプランジャ（１３０）に抗して作用し且つ該第一のプランジャ（１３０）に対して実質的に平行に動く第二のプランジャ（１３１）とを備え、前記ロッカ弁機構（１２５）は、第一のポート（１１３）をブロックする第一の位置に向けて偏倚され且つ第三のポート（１１５）をブロックする第二の位置まで作動される形態とされ、
前記第一のプランジャ（１３０）及び前記第二のプランジャ（１３１）の双方にわたって伸び、前記第一のプランジャ（１３０）及び前記第二のプランジャ（１３１）により動かされて該第一のポート（１１３）の第一の弁座（１１２ａ）及び前記第三のポート（１１５）の第二の弁座（１１２ｂ）と交互に接触することができるシール部材（１２０）を備える、ロッカ弁（１００）。
【請求項２３】
請求項２２に記載のロッカ弁（１００）において、
前記ロッカ弁機構（１２５）は、前記第一のポート（１１３）をブロックする前記第一のプランジャ（１３０）により前記第一の位置に向けて偏倚され且つ、前記第三のポート（１１５）をブロックする前記第二のプランジャ（１３１）により前記第二の位置まで作動される形態とされる、ロッカ弁（１００）。
【請求項２４】
請求項２２に記載のロッカ弁（１００）において、
前記ロッカ弁機構（１２５）は、モジュラーロッカ弁機構（１２５）である、ロッカ弁（１００）。
【請求項２５】
請求項２２に記載のロッカ弁（１００）において、
前記複数のポート（１１３−１１５）は、所定の間隔だけ分離される、ロッカ弁（１００）。
【請求項２６】
請求項２２に記載のロッカ弁（１００）において、
前記複数のポート（１１３−１１５）は、複数の形態変更可能なポート（１１３−１１５）を含む、ロッカ弁（１００）。
【請求項２７】
請求項２２に記載のロッカ弁（１００）において、
前記第一のプランジャ（１３０）は、第一のプランジャヘッド（１３７）を含み、また、前記第二のプランジャ（１３１）は、第二のプランジャヘッド（１３８）を含み、
前記第一のプランジャヘッド（１３７）は、前記第一の密封領域（１２１）内に嵌まり、
前記第二のプランジャヘッド（１３８）は、前記第二の密封領域（１２２）内に嵌まる、ロッカ弁（１００）。
【請求項２８】
請求項２２に記載のロッカ弁（１００）において、
ロッカ弁機構（１２５）は、
前記ポート部分（１１０）から伸びる枢動ポスト（１３３）と、
前記枢動ポスト（１３３）に枢動可能に装着された上側枢動アーム（１３５）と、
該枢動ポスト（１３３）に枢動可能に装着された下側枢動アーム（１３６）と、
アクチュエータ（１４５）により作動される形態とされ、前記上側枢動アーム（１３５）及び前記下側枢動アーム（１３６）の第一の端部（１６１）に枢動可能に装着される前記第一のプランジャ（１３０）と、
ロッカ偏倚装置（１４０）により閉塞位置に向けて偏倚する形態とされ、前記上側枢動アーム（１３５）及び前記下側枢動アーム（１３６）の第二の端部（１６２）に枢動可能に装着される前記第二のプランジャ（１３１）とを更に備える、ロッカ弁（１００）。
【請求項２９】
請求項２２に記載のロッカ弁（１００）において、
ロッカ弁機構（１２５）は、
偏倚力を前記第二のプランジャ（１３１）に加える形態とされたロッカ偏倚装置（１４０）と、
前記第一のプランジャ（１３０）及び前記シール部材（１２０）の第一のシール領域を常時閉位置に向けて偏倚させ且つ前記第一のポート（１１３）の第一の弁座（１１２ａ）と接触させる形態とされたアクチュエータ（１４５）とを更に備える、ロッカ弁（１００）。
【請求項３０】
請求項２９に記載のロッカ弁（１００）において、
外部の作動力をアーマチャ偏倚装置（１４８）に抗して前記ロッカ弁機構（１２５）まで伝達する形態とされた手動の作動プランジャ（５０１）を更に備える、ロッカ弁（１００）。
【請求項３１】
請求項２２に記載のロッカ弁（１００）において、
外部の作動力をアーマチャの偏倚装置（１４８）に抗して前記ロッカ弁機構（１２５）に伝達する形態とされた手動の作動プランジャ（５０１）を更に備え、
該手動の作動プランジャ（５０１）は、角度付き面（５０３）を含むアクチュエータ突起（５０２）を有する、ロッカ弁（１００）。
【請求項３２】
請求項２２に記載のロッカ弁（１００）において、
前記ロッカ弁機構（１２５）の作動位置に関係した位置信号を発生させる位置センサ（１６０）を更に備える、ロッカ弁（１００）。
【請求項３３】
請求項２２に記載のロッカ弁（１００）において、
前記ロッカ弁機構（１２５）に取付けた磁石（１６２）と、前記弁本体（１０１）に取付けた位置センサ（１６０）とを更に備え、
該位置センサ（１６０）は、前記ロッカ弁機構（１２５）の作動位置に関係した位置信号を発生させる、ロッカ弁（１００）。
【発明の詳細な説明】
【技術分野】
【０００１】
本発明は、ロッカ弁機構及びロッカ弁に関する。
【背景技術】
【０００２】
弁は、弁機構を保持する弁本体を備えている。入口ポート及び出口ポートが弁機構と外部環境との間にて連通する。弁本体は、弁室を形成するよう組み立てられることが多く、該弁室は、１つ以上の弁座と、入口ポート及び出口ポートのような、２つ以上の通路とを含む。弁機構は、弁機能を発揮し得るように弁本体内を動くことができ、また、１つ以上の弁座と選択的に接触し且つブロック解除して、これによりポートの選択及び選択の解除を行なうことができる。
【発明の概要】
【発明が解決しようとする課題】
【０００３】
弁装置を小型化し且つ互換可能にすることの双方が益々、望まれる。更に、例えば、作動力、ポートの寸法及びポートの間隔を選択し且つ（又は）変更する能力を含んで、弁装置の形態を変更し得ることが望ましい。かかる形態の変更可能性及び互換可能性は、弁装置の使用の自由度を増し且つより経済的にする。
【課題を解決するための手段】
【０００４】
本発明に従ったロッカ弁機構が提供される。該ロッカ弁機構は、複数のポートを含むポート部分と、第一のプランジャと、該第一のプランジャに抗して作用し且つ該第一のプランジャに対して実質的に平行に動く第二のプランジャとを備えており、ロッカ弁機構は、第一のポートをブロックする第一の位置に向けて偏倚され、また、第三のポートをブロックする第二の位置まで作動される形態とされている。
【０００５】
本発明に従ったロッカ弁が提供される。該ロッカ弁は、弁本体と、少なくとも部分的に弁本体内に配置されたロッカ弁機構とを備えている。該ロッカ弁機構は、複数のポートを含むポート部分と、第一のプランジャと、該第一のプランジャに抗して作用し且つ該第一のプランジャに対して実質的に平行に動く第二のプランジャとを備えている。該ロッカ弁機構は、第一のポートをブロックする第一の位置に向けて偏倚され且つ第三のポートをブロックする第二の位置まで作動される形態とされている。
【０００６】
本発明に従ったロッカ弁が提供される。該ロッカ弁は、弁本体と、該弁本体内に少なくとも部分的に配置されたロッカ弁機構とを備えている。該ロッカ弁機構は、複数のポートを含むポート部分と、第一のプランジャと、該第一のプランジャに抗して作用し且つ該第一のプランジャに対して実質的に平行に動く第二のプランジャとを備えている。該ロッカ弁機構は、第一のポートをブロックする第一の位置に向けて偏倚され且つ第三のポートをブロックする第二の位置まで作動される形態とされている。該ロッカ弁機構は、第一のプランジャ及び第二のプランジャの双方にわたって伸びるシール部材を更に備えている。該シール部材は、第一のプランジャ及び第二のプランジャにより動かされて、第一のポートの第一の弁座及び第三のポートの第二の弁座と交互に接触することができる。
【０００７】
ロッカ弁機構の１つの実施の形態の形態において、該ロッカ弁機構は、第一のポートをブロックする第一のプランジャにより第一の位置に向けて偏倚され且つ、第三のポートをブロックする第二のプランジャにより第二の位置まで作動される形態とされている。
【０００８】
ロッカ弁機構の別の実施の形態において、複数のポートは、所定の間隔だけ分離される。
ロッカ弁機構の更に別の実施の形態において、複数のポートは、複数の形態変更可能なポートを含む。
【０００９】
ロッカ弁機構の更に別の実施の形態において、該ロッカ弁機構は、第一のプランジャ及び第二のプランジャの双方にわたって伸びるシール部材を更に備えており、該シール部材は、第一のプランジャ及び第二のプランジャにより動かされて第一のポートの第一の弁座及び第三のポートの第二の弁座と交互に接触することができる。
【００１０】
ロッカ弁機構の更に別の実施の形態において、該ロッカ弁機構は、ポート部分から伸びる枢動ポストと、該枢動ポストに枢動可能に装着された上側枢動アームと、該枢動ポストに枢動可能に装着された下側枢動アームと、を更に備え、第一のプランジャは、アクチュエータにより作動される形態とされ、第一のプランジャは、上側枢動アーム及び下側枢動アームの第一の端部に枢動可能に装着され、第二のプランジャは、ロッカ偏倚装置により閉塞位置に向けて偏倚する形態とされ、第二のプランジャは、上側枢動アーム及び下側枢動アームの第二の端部に枢動可能に装着されている。
【００１１】
ロッカ弁機構の更に別の実施の形態において、該ロッカ弁機構は、偏倚力を第二のプランジャに加える形態とされたロッカ偏倚装置と、第一のプランジャ及びシール部材の第一のシール領域を常時閉位置に向けて偏倚させ且つ第一のポートの第一の弁座と接触させる形態とされたアクチュエータとを更に備えている。
【００１２】
ロッカ弁の別の実施の形態において、ロッカ弁機構は、モジュラーロッカ弁機構である。
ロッカ弁の更に別の実施の形態において、該ロッカ弁は、外部の作動力をアーマチャ偏倚装置に抗してロッカ弁機構まで伝達する形態とされた手動の作動プランジャを更に備えている。
【００１３】
ロッカ弁の更に別の実施の形態において、該ロッカ弁は、外部の作動力をアーマチャの偏倚装置に抗してロッカ弁機構に伝達する形態とされた手動の作動プランジャを更に備えており、該手動の作動プランジャは、角度付き面を含むアクチュエータ突起を含む。
【００１４】
ロッカ弁の更に別の実施の形態において、該ロッカ弁は、ロッカ弁機構の作動位置に関係した位置信号を発生させる位置センサを更に備えている。
ロッカ弁の更に別の実施の形態において、該ロッカ弁は、ロッカ弁機構に取付けた磁石と、弁本体に取付けた位置センサとを更に備えており、該位置センサは、ロッカ弁機構の作動位置に関係した位置信号を発生させる。
【図面の簡単な説明】
【００１５】
同一の参照番号は、全ての図面にて同一の要素を表わす。図面は、必ずしも正確な縮尺通りではないことを理解すべきである。
【図１】本発明の１つの実施の形態に従ったロッカ弁の断面図である。
【図２】本発明の１つの実施の形態に従ったロッカ弁機構の詳細を示す断面図である。
【図３】非作動位置にあるロッカ弁機構を示す断面図である。
【図４】本発明の実施の形態に従ったロッカ弁機構の断面図である。
【図５】本発明の１つの実施の形態に従ったロッカ弁機構の部分断面図である。
【図６】本発明の１つの実施の形態に従ったロッカ弁機構の側面図である。
【図７】本発明の１つの実施の形態に従ったロッカ弁機構の下側部を示す。
【発明を実施するための形態】
【００１６】
図１−図７及び以下の説明は、当該技術の当業者に対して、本発明の最良の形態を実施し且つ使用する方法を教示するため特定の例を示すものである。本発明の原理を教示する目的のため、幾つかの従来通りの形態は簡略化し又は省略されている。当該技術の当業者は、本発明の範囲に属する、これらの例の変更例が理解されよう。当該技術の当業者は、以下に説明する特徴は、色々な仕方にて組み合わせ本発明の多数の変形例を形成することができることが理解されよう。その結果、本発明は、以下に説明する特定の例にのみ限定されず、特許請求の範囲及びそれらの等価物によってのみ限定されるものである。
【００１７】
図１は、本発明の１つの実施の形態に従ったロッカ弁１００の断面図である。該ロッカ弁１００は、室１０２を含む弁本体１０１と、少なくとも部分的に室１０２内に配置されたロッカ弁機構１２５と、アクチュエータ１４５とを備えている。アクチュエータ１４５はロッカ弁機構１２５を作動させ且つ動かす。ロッカ弁１００は、第一のポート１１３と、第二のポート１１４と、第三のポート１１５とを更に含む。第一のポート１１３は、第一の弁座１１２ａと連通し、第三のポート１１５は、第二の弁座１１２ｂと連通している（図２参照）。ロッカ弁１００は、第一のポート１１３及び第三のポート１１５をブロックし且つブロック解除し、このため、流体の流れを調節することができる。ロッカ弁機構１２５の構成要素及びそれらの作用については、図２に関して以下により詳細に説明する。
【００１８】
アクチュエータ１４５は、アクチュエータプランジャ１４６と、アーマチャ１４７と、アーマチャ偏倚装置１４８と、電磁コイル１４９とを含む。アーマチャ１４７はコイル１４９により作動される。アーマチャ１４７は、アクチュエータプランジャ１４６と接触する一方、アクチュエータプランジャ１４６は、ロッカ弁機構１２５に作用し且つロッカ弁機構１２５を作動させる。
【００１９】
図示した実施の形態において、アクチュエータ１４５は、電磁石アクチュエータである。しかし、アクチュエータ１４５は、アクチュエータプランジャ１４６を実質的に往復運動状態にて動かす任意の態様のアクチュエータとすることができることを理解すべきである。
【００２０】
図面から、アーマチャ１４７、従って、ロッカ弁機構１２５は中間位置にあることが分かる。通常の非作動位置にあるとき（すなわち、電磁コイル１４９が非励起状態にあるとき）、アーマチャ１４７は、解放され且つ、アーマチャ偏倚装置１４８により完全に下降した位置まで偏倚されている（図３参照）。アーマチャ偏倚装置１４８は、実質的にロッカ偏倚装置１４０に抗して作用する。電磁コイル１４９が励起されないとき、アーマチャ偏倚装置１４８は、ロッカ偏倚装置１４０に必要以上の力を加える。更に、ロッカ偏倚装置１４０は、アーマチャ１４７が完全に上昇した作動位置まで動いたとき、アーマチャプランジャ１４６を押してアーマチャ１４７に従動するようにする（図２参照）。
【００２１】
ロッカ弁機構１２５は、第一のプランジャ１３０と、第二のプランジャ１３１と、シール部材１２０とを含む。第二のプランジャ１３１は、第一のプランジャ１３０に抗して作用し且つ該第一のプランジャ１３０に対して実質的に平行に動く。第一のプランジャ１３０及び第二のプランジャ１３１は、シール部材１２０の一部分を動かし、第一のポート１１４及び第三のポート１１５をブロックし且つブロック解除する。
【００２２】
ロッカ弁機構１２５の作動は、アクチュエータ１４５によりアクチュエータプランジャ１４６を通じて提供される。ロッカ弁機構１２５は、第一のポート１１３をブロックする第一の非作動位置に向けて偏倚される形態とされている（図３参照）。ロッカ弁機構１２５は、第三のポート１１５をブロックする第二の位置まで作動される更なる形態とされている（図２参照）。この作動された位置は電磁コイル１４９が励起されたときに生ずる。第一のプランジャ１３０は、第一のポート１１３をブロックすることができ、また、第二のプランジャ１３１は、第三のポート１１５を交互にブロックすることができる。このため、第一のポート１１３は、常時閉（ＮＣ）ポートであり、また、第三のポート１１５は、常時開（ＮＯ）ポートである。
【００２３】
ロッカ弁機構１２５は、ポート部分１１０を含む。ポート部分１１０は、ポート１１３−１１５を含み、ポート１１３−１１５は、所定の間隔だけ分離されている。間隔は、ポートの寸法及び形状と共に変更可能である（図７及びこれに伴う説明を参照）。このため、ロッカ弁１００は、幾つかの実施の形態において、ポートの軸線間にて極めて短い距離を有し、弁の全体寸法を小さくすることができる。
【００２４】
シール部材１２０は、ロッカ弁機構１２５が組み立てられたとき、ポート部分１１０と弁本体１０１との間に配置される。ポート部分１１０は、幾つかの実施の形態において、シール部分１２０の少なくとも一部分を受け入れる。望ましいことに、シール部材１２０は、ポート部分１１０を弁本体１０１に対して密封することができる。
【００２５】
幾つかの実施の形態において、シール部材１２０は、シールリテーナ１２４により弁本体１０１内に保持されている。シールリテーナ１２４は、ポート部分１１０と弁本体１０１との間に配置されている。シールリテーナ１２４は、シール部材１２０をポート部分１１０に対する所要位置に保持する。
【００２６】
幾つかの実施の形態において、シール部材１２０は、第一のプランジャ１３０及び第二のプランジャ１３１の双方が接触し且つこれらのプランジャ１３０、１３１により変位される。このため、シール部材１２０は、第一のプランジャ１３０及び第二のプランジャ１３１により動かされて、第一のポート１１３及び第三のポート１１５のブロック及びブロック解除を交互に行なうことができる。
【００２７】
ロッカ弁機構１２５は、幾つかの実施の形態において、モジュラーユニットである。ロッカ弁機構１２５のモジュラー型式のため、ポート１１３−１１５が望ましい特徴を有する、ポート部分１１０を選ぶことができる。例えば、ポート部分１１０は、特に、所望のポート寸法及び（又は）所望のポート間隔に従って選ぶことができる。更に、モジュラー型式のため、ロッカ弁機構１２５は、弁の作動速度、プランジャの行程距離、弁の作動力、偏倚装置の力／寸法等のような所望の弁の特徴に従って選ぶことができる。その他の弁の特徴とすることが考えられ、これらの特徴は、本明細書及び特許請求の範囲に含まれるものである。
【００２８】
図２は、本発明の１つの実施の形態に従ったロッカ弁機構１２５の詳細を示す断面図である。この図は、電磁コイル１４９は励起され且つ、アクチュエータプランジャ１４６をアーマチャ偏倚装置１４８に抗して上方に引っ張る、作動位置にあるロッカ弁１００を示す。その結果、第一のポート１１３はブロック解除され、第三のポート１１５はブロックされる。
【００２９】
上記に説明した構成要素に加えて、ロッカ弁機構１２５は、ポート部分１１０から伸びる枢動ポスト１３３を備えている。上側枢動アーム１３５は、枢着ピン１５２により枢動ポスト１３３に枢動可能に固定されている。下側枢動アーム１３６は、別の枢着ピン１５２により枢動ポスト１３３に枢動可能に固定されている。第一のプランジャ１３０は、枢着ピン１５１により第一の端部１６１にて上側枢動アーム１３５及び下側枢動アーム１３６の双方に枢動可能に固定されている。第二のプランジャ１３１は、枢着ピン１５１により第二の端部１６２にて上側枢動アーム１３５及び下側枢動アーム１３６の双方に枢動可能に固定されている。枢動ポスト１３３の一側部における枢動アーム１３５、１３６の長さは、等しく又は等しくないものとすることができる。
【００３０】
第二のプランジャ１３１は、ロッカ偏倚装置１４０により下方に偏倚されている。このため、第二のプランジャ１３１は、第二の弁座１１２ｂに対してシール部材１２０の相応する領域を圧縮することができる。図示した実施の形態において、ロッカ偏倚装置１４０は、ヘリカルばね又はコイルばねである。しかし、ロッカ偏倚装置１４０は、任意の態様の偏倚装置とすることができる。
【００３１】
この図から、ロッカ偏倚装置１４０の一部分は何らかの態様にて第二のプランジャ１３１の一端に嵌まり又は該一端により保持することができることが理解される。ロッカ偏倚装置１４０の別の部分は、弁本体１０１に嵌まり又は該弁本体１０１により保持することができる。図示した実施の形態において、ロッカ偏倚装置１４０の一部分は、弁本体１０１の室１０２内に形成された穴又は受容部に嵌まる。
【００３２】
コイル１４９が励起されたとき、第一のプランジャ１３０は、アクチュエータプランジャ１４６により上方に動くことが許容される。これと同時に、第二のプランジャ１３１は、ロッカ偏倚装置１４０により押し下げられる。その結果、上側枢動アーム１３５及び下側枢動アーム１３６は、共に第一のプランジャ１３０を上方に動かす。このため、第一のプランジャ１３０がアクチュエータプランジャ１４６により解放されたとき、上側及び下側枢動アーム１３５、１３６は、ロッカ偏倚装置１４０により提供された作動力を第一のプランジャ１３０に伝達する。その結果、第三（ＮＯ）のポート１１５は、ブロックされ、第一のＮＣ）のポート１１３はブロック解除される。
【００３３】
２つの枢動アーム１３５、１３６は、機構の剛性を向上させる。このため、ロッカ弁機構１２５は、固有のスロップ及び固有の撓みが少なく、作動行程距離及び作動力が改良されることになる。
【００３４】
幾つかの実施の形態において、第一のプランジャ１３０は、第一のプランジャヘッド１３７を含み、また、第二のプランジャ１３１は、第二のプランジャヘッド１３８を含む。これに応じて、シール部材１２０は、第一の密封領域１２１と、第二の密封領域１２２とを含むことができる。第一及び第二の密封領域１２１、１２２は、受容部を備えることができ、第一のプランジャヘッド１３７及び第二のプランジャヘッド１３８は、第一の密封領域１２１及び第二の密封領域１２２内に嵌まる。このため、第一及び第二の密封領域１２１、１２２は、第一及び第二のプランジャ１３０、１３１に装着することができる。その結果、第一及び第二のプランジャ１３０、１３１は、シール部材１２０の１つの領域を下方に押すことができるのみならず、シール部材１２０の１つの領域を上方に引っ張ることもできる。このことは、プランジャのブロック解除動作を向上させ且つ、ポートを通る流体量を増加させることになる。
【００３５】
これと代替的に、第一及び第二のプランジャ１３０、１３１は、単に第一及び第二の密封領域１２１、１２２の上面と接触することができるようにし、ここにおいて、第一及び第二の密封領域１２１、１２２は、シール部材１２０の動き及び（又は）撓みに対応し得るようシール部材１２０のより厚い部分を含む。
【００３６】
望ましいことに、ロッカ弁１００は、ロッカ弁機構１２５を適正に選択することにより（又は、これと代替的に、特定の構成要素を選択することにより）形成することができる。例えば、上側及び下側枢動アーム１３５、１３６は、レバーアームを選び、このため、第二のプランジャ１３１に伝達される力及び作動行程を選ぶよう選択することができる。枢動ポスト１３３の一側部における枢動アーム１３５、１３６の長さは、必ずしも等しい必要はないことを理解すべきである。
【００３７】
別の有利な点は、第一又は第二の密封部分１２１又は１２２は、相応する弁座１１２ａ又は１１２ｂに対して実質的に垂直に常に変位される点である。更に、第一の又は第二の密封部分１２１又は１２２は、その他の密封部分１２２又は１２１に対し実質的に平行に変位する。このことは、より高い圧力能力、ロッカ弁１００を通る流れの増加、アクチュエータ１４５内の動力消費量の減少、及びシール部材１２０の予想寿命の延長を含んで、密封の質を向上させることになる。
【００３８】
図３は、非作動位置にあるロッカ弁機構１２５を示す断面図である。この図において、コイル１４９は、非励起状態とされ、アーマチャ１４７を解放し且つアーマチャ偏倚装置１４８がアーマチャ１４７及びアクチュエータプランジャ１４６が完全に下方に動くのを許容する。その結果、第一のプランジャ１３０は、完全に下方に動いて、第一のポート１１３をブロックする。これと同時に、第二のプランジャ１３１は持ち上げられて、第三のポート１１５のブロックを解除する。
【００３９】
図４は、本発明の１つの実施の形態に従ったロッカ弁機構１２５の断面図である。この実施の形態において、ロッカ弁機構１２５は、シールリテーナ１２４を含まない（図１−図３参照）。その代わり、この実施の形態において、ロッカ弁機構１２５は、周方向シール１５４を含み、該周方向シール１５４は、ポート部分１１０と弁本体１０１との間にて圧縮され且つこれらを密封する。１つの実施の形態において、周方向シール１５４は、Ｏリングを含む。しかし、第一及び第二のプランジャ１３０、１３１は、依然として、第一及び第二の密封領域１２１、１２２を含む。第一及び第二の密封領域１２１、１２２は、この実施の形態において、周方向シール１５４から分離したものとすることができる。
【００４０】
図５は、本発明の１つの実施の形態に従ったロッカ弁機構１２５の部分断面図である。ロッカ弁機構１２５は、この実施の形態において、手動の作動プランジャ５０１と、手動のプランジャ偏倚装置５０６とを更に備えている。手動の作動プランジャ５０１は、弁本体１０１の穴５００内に位置し且つ、穴５００内にて往復運動状態に動くことができる。穴５００は、手動の作動プランジャ５０１が穴５００から出るのを防止するストッパ５０８を含むことができる。手動のプランジャ偏倚装置５０６は、穴５００内に位置し且つ手動の作動プランジャ５０１が接触する。手動のプランジャ偏倚装置５０６は、手動の作動プランジャ５０１に作動力が加わらない、後退した非作動位置まで手動の作動プランジャ５０１を戻す。
【００４１】
手動の作動プランジャ５０１は、手動の作動プランジャ５０１から伸びるアクチュエータ突起５０２を含む。アクチュエータ突起５０２は角度付き面５０３を含む。アクチュエータ突起５０２及び角度付き面５０３は、ロッカ弁機構１２５の一部分と接触し且つ、ロッカ弁機構１２５を非作動位置から作動位置まで手動にて押す形態とされている。
【００４２】
１つの実施の形態において、角度付き面５０３は、第二のプランジャ１３１の一部分と接触し且つ該一部分を押し下げる。別の実施の形態において、角度付き面５０３は、上側枢動アーム１３５の一部分と接触し且つ該一部分を押し下げる。
【００４３】
図６は、本発明の１つの実施の形態に従ったロッカ弁機構１２５の側面図である。この図には、ロッカ弁機構１２５に対して空間的関係にある手動の作動プランジャ５０１が示されている。更に、この図には、ロッカ弁機構１２５に対して空間的関係にある位置センサ１６０が示されている。
【００４４】
位置センサ１６０は、ロッカ弁機構１２５の位置を電子的に検知し且つ、位置信号を発生させる。この位置信号は、弁１００が作動されているか又は非作動状態にあるかを判断するため使用することができる。この位置信号は、作動位置と非作動位置との間のロッカ弁機構１２５の任意の位置を判断するため使用することができる。
【００４５】
図示した実施の形態において、位置センサ１６０は、磁石１６２と相互作用し位置信号を発生させる。磁石１６２は、ロッカ弁機構１２５に固定される。
磁石１６２は、図面に示した実施の形態にて上側枢動アーム１３５に固定されている。しかし、磁石１６２は、例えば、下側枢動アーム１３６又は第一のプランジャ１３０を含んで、ロッカ弁機構１２５のその他の構造体に固定することができることを理解すべきである。
【００４６】
図７には、本発明の１つの実施の形態に従ったロッカ弁機構１２５の下側部が示されている。この図には、第一のポート１１３、第二のポート１１４及び第三のポート１１５が示されている。図示した実施の形態において、第一のポート１１３及び第三のポート１１５は、細長いスロットである一方、第二のポート１１４は、実質的に円形のポートである。相応する接続具は、ポート１１３−１１５内に受け入れることができる。ロッカ弁機構１２５は、１つ以上の相応する接続具をポート部分１１０に対して密封するガスケット１７０を更に含むことができる。接続具は、シールを形成し得るようガスケット１７０を圧縮することができる。
【００４７】
本発明に従ったロッカ弁機構及びロッカ弁は、所望であれば、幾つかの有利な効果を提供し得るよう任意の実施の形態に従って採用することができる。本発明は、密封部分が互いに対し実質的に平行に変位される、ロッカ弁機構を提供する。本発明は、ロッカ偏倚装置の変位距離が減少したことを特徴とするロッカ弁機構を提供する。本発明は、改良された剛性を特徴とするロッカ弁機構を提供する。本発明は、所望の作動力及び所望の作動移動を提供する形態とすることのできるロッカ弁機構を提供する。本発明は、密封部材と弁座との間の接触を保証するロッカ弁機構を提供する。本発明は、密封部材の寿命が改良されたことを特徴とするロッカ弁機構を提供する。本発明は、ポートの寸法及びポートの離間の形態を可能にするロッカ弁機構を提供する。本発明は、色々な弁座の直径を受け入れるロッカ弁機構を提供する。本発明は、内部の死容積が減少し、また、先行技術におけるよりも、より迅速にフラッシングすることのできるロッカ弁機構を提供する。本発明は、ポート境界面の面積を減少させることのできる形態変更可能なポート部分を提供する。
【図１】
2010506122.tif 000003
【図２】
2010506122.tif 000004
【図３】
2010506122.tif 000005
【図４】
2010506122.tif 000006
【図５】
2010506122.tif 000007
【図６】
2010506122.tif 000008
【図７】
2010506122.tif 000009
【国際調査報告】
2010506122.tif 000010
2010506122.tif 000011